(57)【特許請求の範囲】
【請求項１】
転写テープを折り返し案内する折り返し案内部及びこの折り返し案内部の側端をそれぞれ支持する１対の外側壁を有し外側壁間に転写テープ挿通路を形成してなる転写ヘッドと、少なくともこの転写ヘッドを保持してなるリフィルと、このリフィルを幅方向から挿脱可能な状態に保持可能なケースと、このケースに枢着軸部を介して枢着してなり、前記転写ヘッドを被覆する閉止位置と前記転写ヘッドを露出させる開成位置との間で回動動作可能なヘッドキャップとを具備するとともに、
転写ヘッドの基端部とケースとの間に、該転写ヘッドの基端部に設けられ幅方向に開口する十字溝とケースに設けられケースの主壁から該ケースの幅方向に起立する十字リブとを係合させてなり、これら転写ヘッドの基端部とケースとの間の相対的な回動を禁止しうる係合部を有し、前記ヘッドキャップを閉止位置に配した際に、前記転写ヘッドの挿脱軌跡の外側に前記ヘッドキャップが位置し、
前記ヘッドキャップを閉止位置に向けて弾性付勢する保持機構を、前記ヘッドキャップの枢着軸部近傍に設け、
この保持機構が、前記枢着軸部に設けた突起と、この枢着軸部と係合してなる軸受に隣接させて設けられ前記突起と摺接可能なカム面とを利用して設けられたもので、前記突起と前記カム面とが摺接した状態で前記ヘッドキャップの前記突起近傍の部位を弾性変形させることによりヘッドキャップを付勢することを特徴とする転写具。
【請求項２】
前記ヘッドキャップが、閉止位置に配した際に前記転写ヘッドの折り返し案内部を内部に収納可能なヘッド収納凹部を設けていることを特徴とする請求項１記載の転写具。
【請求項３】
前記ヘッドキャップの抜き取り方向側と反対側に、転写ヘッドの抜き取り方向側と反対側の外側壁と重合する壁体を設けていることを特徴とする請求項１又は２記載の転写具。
【発明の詳細な説明】
【技術分野】
【０００１】
本発明は、転写ヘッドの転写面側を被覆する閉止位置と、表面がケース部材本体に対向ないし当接する開成位置との間で回動動作可能なヘッドキャップを有するケース部材を具備する転写具に関する。
【背景技術】
【０００２】
従来、転写テープを支軸周りに回転可能な供給リールから転写ヘッドを経て巻取リールに巻き回してなる転写具において、前記供給リール、前記転写ヘッド、及び前記巻取リールを保持してなるリフィルに、転写ヘッドを被覆可能なヘッドキャップを備える構成が広く用いられている。このような構成を有する転写具において、ヘッドキャップの幅方向両側端縁に、転写ヘッドの側板に対向する起立板を設け、この起立板と前記側板との間にヘッドキャップを閉止位置に保持可能にすべく保持機構を設ける構成が考えられている（例えば、特許文献１を参照）。
【特許文献１】特開２００３−５４１９０号公報
【発明の開示】
【発明が解決しようとする課題】
【０００３】
ところで、リフィルの廃棄時の廃棄物量を削減すべく、ヘッドキャップをケース部材側に設けることが考えられている。しかし、特許文献１記載のヘッドキャップの構成を採用した場合、ヘッドキャップを閉止位置側に配置したままリフィルの取り付け作業を行う際にヘッドキャップの起立板とヘッドとが干渉するので、リフィルの取り付け作業を行う際に予めヘッドキャップを開成位置側に退避しておく手間が必要となり、人によってはリフィルの取り付け作業が繁雑なものになると感じられる不具合が存在する。
【０００４】
本発明は、以上に述べた課題を解決すべく構成するものである。
【課題を解決するための手段】
【０００５】
すなわち、本発明に係る転写具は、転写テープを折り返し案内する折り返し案内部及びこの折り返し案内部の側端をそれぞれ支持する１対の外側壁を有し外側壁間に転写テープ挿通路を形成してなる転写ヘッドと、少なくともこの転写ヘッドを保持してなるリフィルと、このリフィルを幅方向から挿脱可能な状態に保持可能なケースと、このケースに枢着軸部を介して枢着してなり、前記転写ヘッドを被覆する閉止位置と前記転写ヘッドを露出させる開成位置との間で回動動作可能なヘッドキャップとを具備するとともに、転写ヘッドの基端部とケースとの間に、該転写ヘッドの基端部に設けられ幅方向に開口する十字溝とケースに設けられケースの主壁から該ケースの幅方向に起立する十字リブとを係合させてなり、これら転写ヘッドの基端部とケースとの間の相対的な回動を禁止しうる係合部を有し、前記ヘッドキャップを閉止位置に配した際に、前記転写ヘッドの挿脱軌跡の外側に前記ヘッドキャップが位置し、前記ヘッドキャップを閉止位置に向けて弾性付勢する保持機構を、前記ヘッドキャップの枢着軸部近傍に設け、この保持機構が、前記枢着軸部に設けた突起と、この枢着軸部と係合してなる軸受に隣接させて設けられ前記突起と摺接可能なカム面とを利用して設けられたもので、前記突起と前記カム面とが摺接した状態で前記ヘッドキャップの前記突起近傍の部位を弾性変形させることによりヘッドキャップを付勢することを特徴とする。
【０００６】
このようなものであれば、ヘッドキャップを閉止位置に配した際であっても、前記転写ヘッドの挿脱軌跡の外側に前記ヘッドキャップが位置するので、リフィルの着脱の際に転写ヘッドとヘッドキャップとが干渉することを防ぐことができる。従って、ヘッドキャップを開成位置側に退避しておく手間を省略できる。すなわち、リフィルの取り付け作業をより容易に行うことができる。
【０００７】
また、前記ヘッドキャップを閉止位置に向けて弾性付勢する保持機構を具備するので、前記ヘッドキャップを閉止位置に向けて弾性付勢し閉止位置に保持するようにでき、従って、このような転写具において、リフィルをケースに取り付けた直後に転写ヘッドが外部に露出しないようにすることができる。
【０００８】
さらに、前記保持機構を前記ヘッドキャップの枢着軸部近傍に設けているので、転写ヘッド側には保持機構の構成部品を設ける必要がなく、他の態様の転写ヘッドないしリフィルとの設計の共通化を容易にすることができる。
【０００９】
このようなヘッドキャップの外面形状を整えつつ、このようなヘッドキャップを有する転写具全体を小型化できる態様として、前記ヘッドキャップが、閉止位置に配した際に前記転写ヘッドの折り返し案内部を内部に収納可能なヘッド収納凹部を設けているものが挙げられる。このようなものであれば、前記ヘッド収納凹部に転写ヘッドの折り返し案内部を内部に収納することにより転写ヘッドの折り返し案内部とヘッドキャップとが干渉を防ぎつつ、前記ヘッドキャップを閉止位置に配した際にヘッドキャップと転写ヘッドとを接近させることができるからである。
【００１０】
そして、前記閉止位置において転写ヘッドをより効果的に被覆できる態様として、前記ヘッドキャップの抜き取り方向側と反対側に、転写ヘッドの抜き取り方向側と反対側の外側壁と重合する壁体を設けているものが挙げられる。
【発明の効果】
【００１１】
本発明に係る転写具の構成によれば、ヘッドキャップを閉止位置に配した際であっても、前記転写ヘッドの挿脱軌跡の外側に前記ヘッドキャップが位置するので、リフィルの着脱の際に転写ヘッドとヘッドキャップとが干渉することを防ぐことができる。従って、ヘッドキャップを開成位置側に退避しておく手間を省略できる。すなわち、リフィルの取り付け作業をより容易に行うことができる。
【発明を実施するための最良の形態】
【００１２】
以下、本発明の一実施形態を、図面を参照して説明する。
【００１３】
本実施形態に係る転写具Ａは、図１、図２、図３、図４及び図５に示すように、ケース部２及びこのケース部２に保持可能なリフィル３を有する転写具本体１と、この転写具本体１、具体的にはリフィル３に保持させてなる転写ヘッド４と、前記転写具本体１、具体的にはケース部２に枢着してなるヘッドキャップ５とを具備する。なお、図１には、転写具Ａのヘッドキャップ５を後述する閉止位置Ｐに配した状態の斜視図、図２には、転写具Ａのヘッドキャップ５を後述する開成位置Ａに配した状態の斜視図をそれぞれ示している。また、図３には、転写具Ａの分解斜視図をしめしている。さらに、図４（ａ）には、転写具Ａの側面図、同図の（ｂ）には転写具Ａの底面図、同図の（ｃ）には転写具Ａの中央縦断面図をそれぞれ示している。
【００１４】
以下、転写具Ａを構成する各部について説明する。以下の説明において、「前」とは、特別な限定がない限り、転写ヘッド４がある側を指し、「後」とは転写ヘッド４とは反対の側を指す。また、転写物は、糊や、被転写体である紙面あるいはフィルムに書かれたり印刷された文字や図形などを修正する修正インキ塗膜等が考えられる。
【００１５】
前記転写具本体１は、上述したように、ケース部２と、このケース部２の内部に着脱可能に保持させてなるリフィル３とを具備する。前記ケース部２は、第１のケース６と、この第１のケース６と対をなす第２のケース７と、これら第１及び第２のケース６、７を使用位置Ｓと開放位置Ｏとの間で相対移動可能に接続する蝶番２１とを具備する。
【００１６】
前記ケース部２の構成各部についてさらに詳述すると、第１のケース６は、図６に示すように、この第１のケース６の主体をなす主壁６１と、その主壁６１に一体に形成されて主壁６１を取り巻く外壁６２とを備えている。また、この第１のケース６には、前記主壁６１及び外壁６２に区成され前記リフィル３を内部に収納可能なリフィル収納空間Ｓを形成している。なお、図５には、同実施形態に係る転写具の第１及び第２のケース６、７を開放位置Ｏに相対移動させた状態の側面図を示している。一方、前記図１、図２、及び図４では、第１及び第２のケース６、７を使用位置Ｓに相対移動させた状態を示している。そして、図６の（ａ）にはこの第１のケース６の側面図、同図の（ｂ）にはこの第１のケース６の底面図、そして同図の（ｃ）にはこの第１のケース６の中央縦断面図をそれぞれ示している。
【００１７】
主壁６１は、その内側にリフィル３の供給リール３２を回転可能に取り付けるための供給リール取付部６１１と、リフィル３の巻取リール３３を回転可能に支持する巻取リール取付部６１２とを有している。供給リール取付部６１１は、供給リール３２の後述する噛合穴（図示略）に挿入することにより当該供給リール３２とともに回転し得る供給リール支持部６１１ａと、供給リール支持部６１１ａに対して図示しない滑り機構を介して同軸に取り付けた駆動ギヤ６１１ｂとを有している。巻き取りリール取付部６１２は主壁６１から略円筒形状に一体に形成されたものであり、巻き取りリール３３の先端に形成した後述する巻き取りリール取付穴（図示略）に挿入し得るものとなっている。
【００１８】
外壁６２は、前記主壁６１の外縁のうち前端部を除く部位から突出させて設けている。ここで、この外壁６２の後端部に前記蝶番２１を設けるべく、この外壁６２の後端部を蝶番対応部位６２ａとしている。この蝶番対応部位６２ａの外周面は、この外壁６２の他の部位の外周面と連続する形状に形成している。また、前記転写ヘッド４は、この外壁６２を設けていない部位であるヘッド露出開口部を貫通して外部に露出するようにしている。
【００１９】
第２のケース７は、図７に示すように、第１のケース６のリフィル収納空間Ｓを実質的に閉止する蓋部７１と、その蓋部７１の外縁から突出し突出端側が第１のケース６の外壁６２と重なり合う外壁７２とを備えている。なお、図７の（ａ）にはこの第２のケース７の側面図、同図の（ｂ）にはこの第２のケース７の底面図、そして同図の（ｃ）にはこの第２のケース７の中央縦断面図をそれぞれ示している。
【００２０】
蓋部７１は、供給リール３２並びに巻き取りリール３３の中心に対応する二箇所において支持板３４に設けた被支持穴３４３、３４４にそれぞれ嵌り得る挿入突起７１１、７１２をそれぞれ形成している。
【００２１】
一方、外壁７２の後端部に前記蝶番２１を設けるべく、この外壁７２の後端部を蝶番対応部位７２ａとしている。この蝶番対応部位７２ａの外周面は、この外壁７２の他の部位の外周面と連続する形状に形成している。
【００２２】
また、第１のケース６と第２のケース７との間には、これら第１及び第２のケース６、７との確実な係合を実現すべく、前側係合手段及び後側係合手段を設けている。前記前側係合手段は、第１のケース６の外壁６２の前部に設けた前係合凹部６２ｘと、第２のケース７の外壁７２に使用位置Ｓにおいて前記前係合凹部６２ｘと前後方向位置が一致する部位に設けた前係合爪７２１とを係合させてなる。前記後側係合手段は、第１のケース６の外壁６２の前後方向中央部に設けた後係合凹部６２ｙと、第２のケース７の外壁７２に使用位置Ｓにおいて前記後係合凹部６２ｙと前後方向位置が一致する部位に設けられこの後係合凹部６２ｙと係合する係合位置と前記係合凹部６２ｙから離間する離間位置との間で移動可能な後係合爪７２２とを係合させてなる。そして、前記後係合爪７２２近傍に操作部７２３を設けていて、この操作部７２３が操作力を受け付けると前記後係合爪７２２が弾性変形して係合位置から離間位置に移動するようにしている。
【００２３】
一方、蝶番２１は、上述したように、第１及び第２のケース６、７を、使用位置Ｓと開放位置Ｏとの間で相対移動可能に接続する。本実施形態では、この蝶番２１は、第２のケース７の外縁よりも内方に設けている。さらに詳述すると、この蝶番２１は、前記第２のケース７から突出させて設けた軸部材２１１と、前記第１のケース６に１対に設けられこの軸部材２１１を両側から枢支する軸受２１２、２１２とを利用して形成している。そして、前記第１のケース６の蝶番２１近傍の部位、望ましくは前記軸受２１２、２１２の前方に、開成位置Ｑにおいて前記第２のケース７を受入可能な退避空間ＳＳを設けている。
【００２４】
また本実施形態に係る転写具Ａはさらに、第１のケース６及びリフィル３に亘って設けられ、前記供給リール３２の回転を前記巻取リール３３へと伝達する伝達機構を具備する。
【００２５】
前記リフィル３は、第１のケース６と第２のケース７との間に保持されるものであり、未使用の転写テープを巻き付けた状態で保持する供給リール３２と、使用済みの転写テープのフィルムを巻き取る巻取リール３３と、これら供給リール３２及び巻取リール３３を回転可能に支持するとともに転写ヘッド４を一体的に保持している支持板３４とを具備する。
【００２６】
また、転写テープに設けた転写物を被転写体に転写し得る転写ヘッド４は、本実施形態では前記リフィル３に支持させてなるとともにこれらリフィル３及び転写ヘッド４を一体的に扱うようにしている。
【００２７】
供給リール３２は、図４に示すように、当該供給リール３２の主体をなす供給リール本体３２１と、上述した供給リール支持部６１２ａに対して転写テープが引き出された際の供給リール３２の回転を伝達可能に噛合いながら収容し得る噛合穴３２ｘとを有している。
【００２８】
巻取リール３３は、図４に示すように、当該巻取リール３３の主体をなす巻取リール本体３３１と、上述した巻取リール取付部６３に対して回転し得るように巻き取りリール取付部６１２を収容し得る巻取リール取付穴３３ｘと、巻取リール取付穴３３ｘの周縁部に形成され、上述した駆動ギヤ６１２ｂに対して噛合い得る従動ギヤ部３３ａとを有している。すなわち本実施形態では、供給リール取付部６１２を構成する供給リール支持部６１２ａ並びに駆動ギヤ６１２ｂと、斯かる従動ギヤ部３３ａとによって伝達機構を構成している。
【００２９】
支持板３４は、図４に示すように、前端部分に転写ヘッド４の基端部４１を回転動作不能に保持させてなり、第１のケース６に対向する面において供給リール３２並びに巻き取りリール３３を回転可能に保持する供給リール保持部３４１並びに巻取リール保持部３４２と、第２のケース７に対向する面における供給リール３２並びに巻き取りリール３３の中心に該当する箇所にそれぞれ設けられた被支持穴３４ｘ、３４ｙとを有している。
【００３０】
加えて、前記供給リール３２と前記支持板３４との間には、リフィル３単独での輸送時における供給リール３２の回り止めを図るべく、回り止め部材９を挿脱可能にしている。この回り止め部材９は、図１０に示すように、前記供給リール３２と前記支持板３４との間に挿入させてなる回り止め本体９１と、この回り止め本体９１の一端部に設けてなりこの回り止め部材９を所定の挿入位置に配した際に前記第１のケース６の供給リール支持部６１１ａに当接する当接部９２と、前記回り止め本体９１の他端部に設けてなり第１のケース６にリフィル３を取り付けた状態で第２のケース７側に突出するつまみ部９３と、前記回り止め本体９１の一表面に設けてなりこの回り止め部材９を所定の挿入位置に配した際に前記支持板３４に設けた係合凹部３４ｚと係合可能な突起９４とを具備する。なお、図１０の（ａ）にはこの回り止め部材９の斜視図、同図の（ｂ）にはこの回り止め部材９の正面図、同図の（ｃ）にはこの回り止め部材９の側面図、そして同図の（ｄ）にはこの回り止め部材９の平面図をそれぞれ示している。
【００３１】
転写ヘッド４は、図３及び図５に示すように、リフィル３の支持板３４に一体的に形成された基端部４１と、基端部４１から前方へ延出する延出板４２と、延出板４２の両側に形成された外側板たる規制板４３と、規制板４３の先端に回転可能に支持された折り返し案内部たる転写ローラ４４とを有している。基端部４１は、本実施形態では使用時の転写ヘッド４の押圧時に若干弾性変形し得るように設定されている。規制板４３、４３は使用時の転写テープの側方のずれを抑制して安定した転写テープの走行並びに転写物の正確な被転写物への転写に供するものである。すなわち、規制板４３、４３間に転写テープ挿通路を形成している。転写ローラ４４は、転写テープを被転写物へ好適に押圧するために、表面を例えば弾性変形し得る素材で構成したものとしている。また、この転写ヘッド４の基端部４１と第１のケース６と第２のケース７との間に、基端部４１とケース部２（すなわち第１のケース６及び第２のケース７）との相対的な回動を禁止し得る係合部を設けている。この係合部は、前記転写ヘッド４の基端部４１に設けられこの転写具Ａの幅方向に開口する十字溝４１ｘと、前記第１のケース６及び第２のケース７に設けた十字リブ６１９、７１９とを係合させてなる。
【００３２】
前記ヘッドキャップ５は、前記第１のケース６に枢着軸部５３を介して枢着してなり、前記転写ヘッド４の先端部を被覆し得る閉止位置Ｐと前記転写ヘッド４の先端部すなわち少なくとも規制板４３、４３及び転写ローラ４４を表出させてなる開成位置Ｑとの間で回動動作可能である。
【００３３】
このヘッドキャップ５は、具体的には図９に示すように、、閉止位置Ｐにおいて前記転写ヘッド４の規制板４３の下面（転写対象に向かうべき面）に対向し該転写ヘッド４の先端下部を被覆するキャップ本体５１と、このキャップ本体５１の両側端縁から延伸する接続アーム５２と、この接続アーム５２の端部に設けられ前記第一ケース部材６の外壁６２に設けたキャップ受部６２１に枢支させてなる枢着軸部５３とを具備する。そして、このヘッドキャップ５は、閉止位置Ｐに配した際に、前記転写ヘッド４の挿脱軌跡の外側に位置する。本実施形態では、前記転写ヘッド４の挿脱軌跡は、前記リフィル３と一体に構成した転写ヘッド４を、第１のケース６に取り付けた状態の位置から、前記供給リール取付部６１２の長手寸法すなわち主壁６１からの突出幅だけ抜き取り方向に移動させた位置までの転写ヘッド４の軌跡を指す。すなわち、このヘッドキャップ５を閉止位置Ｐに配した際に、このヘッドキャップ５が抜き取り方向側側面視転写ヘッド４に重合しない形状を有する。さらに言い換えれば、このヘッドキャップ５は、前記転写ヘッド４の抜き取り方向側に該転写ヘッド４の挿脱方向への移動を可能にすべくヘッド挿脱空間を形成可能にしている。そして、このヘッドキャップ５は、閉止位置Ｐに配した際に前記転写ヘッド４の転写ローラ４４を内部に収納可能なヘッド収納凹部５ｘを有する。なお、図９の（ａ）にはこのヘッドキャップ５の右側面図、同図の（ｂ）にはこのヘッドキャップ５の底面図、同図の（ｃ）にはこのヘッドキャップ５の平面図、そして同図の（ｄ）にはこのヘッドキャップ５の左側面図をそれぞれ示している。
【００３４】
また、このヘッドキャップ５の枢着軸部５３近傍には、このヘッドキャップ５を前記閉止位置Ｐ及び前記開成位置Ｑのいずれかに選択的に弾性付勢する付勢機構５４を設けている。具体的には、図８に示すように、前記枢着軸部５３から延伸して突起５５を設けているとともに、前記第１ケース６の軸受に隣接させて前記突起５５に摺接可能なカム面部６ａを設けている。このカム面部６ａと、前記突起５５とが摺接することにより、該突起５５及び枢着軸部５３を設けた側の接続アーム５２が弾性変形し、他の接続アーム５２に接近する方向に移動する構成を有する。また、前記カム面部６ａは、前記ヘッドキャップ５が前記閉止位置Ｐと前記開成位置Ｑとの中間に位置する際に前記枢着軸部５３の軸心との距離が最小となるとともに、接続アーム５２の移動量が最大となる思案点Ｘを１箇所のみ有し、この思案点Ｘよりも前記ヘッドキャップ５が前記閉止位置Ｐ寄りであれば閉止位置Ｐに向けて、また、この思案点よりも前記ヘッドキャップ５が前記開成位置Ｑ寄りであれば開成位置Ｑに向けて、ヘッドキャップ５をそれぞれ付勢する。なお、図８の（ａ）にはこのヘッドキャップ５を閉止位置Ｐに配した状態、同図の（ｂ）にはこのヘッドキャップ５を思案点Ｘに配した状態、そして同図の（ｃ）にはこのヘッドキャップ５を開成位置Ｑに配した状態をそれぞれ示している。
【００３５】
以上に述べたように、本発明に係る転写具は、転写テープを折り返し案内する転写ローラ４４及びこの転写ローラ４４の側端をそれぞれ支持する１対の規制板４３、４３を有し規制板４３、４３間に転写テープ挿通路を形成してなる転写ヘッド４と、少なくともこの転写ヘッド４を保持してなるリフィル３と、このリフィル３を一方向から挿脱可能な状態に保持可能なケース部２と、このケース部２、より具体的には第１のケース６に枢着軸部６ａを介して枢着してなり、前記転写ヘッド４を被覆する閉止位置Ｐと前記転写ヘッド４を露出させる開成位置Ｑとの間で回動動作可能なヘッドキャップ５とを具備するとともに、前記ヘッドキャップ５を閉止位置Ｐに配した際に、前記転写ヘッド４の挿脱軌跡の外側に前記ヘッドキャップ５が位置する。従って、ヘッドキャップ５を閉止位置Ｐに配した際であっても、前記転写ヘッド４の挿脱軌跡の外側に前記ヘッドキャップ５が位置するので、リフィル３の着脱の際に転写ヘッド４とヘッドキャップ５とが干渉することを防ぐことができる。従って、ヘッドキャップ５を開成位置側Ｑに退避しておく手間を省略できる。すなわち、リフィル３の取り付け作業をより容易に行うことができる。
【００３６】
また、前記ヘッドキャップ５を閉止位置Ｐに向けて弾性付勢する付勢機構５４を具備するので、この付勢機構５４により前記ヘッドキャップ５を閉止位置Ｐに向けて弾性付勢して該ヘッドキャップ５４を閉止位置に保持することができる。従って、このような転写具Ａにおいて、リフィル３をケース部２に取り付けた直後に転写ヘッド４が外部に露出しないようにすることができる。
【００３７】
さらに、前記付勢機構５４を前記ヘッドキャップ５の枢着軸部５３近傍に設けているので、転写ヘッド４側には付勢機構５４の構成部品を設ける必要がなく、他の態様の転写ヘッド４ないしリフィル３との設計の共通化を容易にすることができる。
【００３８】
加えて、前記ヘッドキャップ５が、閉止位置Ｐに配した際に前記転写ヘッド４の転写ローラ４４を内部に収納可能なヘッド収納凹部５ｘを有するので、前記ヘッド収納凹部５ｘの内部に転写ローラ４４を収納することにより転写ヘッド４の転写ローラ４４とヘッドキャップ５との干渉を防ぎつつ、前記ヘッドキャップ５を閉止位置Ｐに配した際にヘッドキャップ５と転写ヘッド４とを接近させることができる。従って、このようなヘッドキャップ５の外面形状を整えつつ、このようなヘッドキャップ５を有する転写具Ａ全体を小型化できる。
【００３９】
なお、本発明は、以上に述べた実施形態に限らない。
【００４０】
例えば、閉止位置において、前記ヘッドキャップの抜き取り方向側と反対側に、転写ヘッドの抜き取り方向側と反対側の外側壁と重合する壁体を設けるようにしてもよい。このように構成すれば、転写ヘッドをより効果的に被覆できる。この場合、ヘッドキャップを閉止位置及び開成位置に保持する保持機構を、ヘッドキャップの前記外側壁とケース部との間に設けてもよい。
【００４１】
加えて、ヘッドキャップに、転写ヘッドの折り返し案内部を内部に収納可能なヘッド収納凹部は必ずしも設けなくともよい。
【００４２】
その他、本発明の趣旨を逸脱しない範囲で種々変形が可能である。
【図面の簡単な説明】
【００４３】
【図１】本発明の一実施形態に係る転写具のヘッドキャップを閉止位置に配した状態の斜視図。
【図２】同実施形態に係る転写具のヘッドキャップを開成位置に配した状態の斜視図。
【図３】同実施形態に係る転写具の分解斜視図。
【図４】同実施形態に係る転写具の側面図、底面図、及び中央縦断面図。
【図５】同実施形態に係る転写具の第１及び第２のケースを開放位置に相対移動させた状態の側面図。
【図６】同実施形態に係る転写具の第１のケースの側面図、底面図、及び中央縦断面図。
【図７】同実施形態に係る転写具の第２のケースの側面図、底面図、及び中央縦断面図。
【図８】同実施形態に係る転写具の保持機構の作用説明図。
【図９】同実施形態に係るヘッドキャップの右側面図、底面図、平面図、及び左側面図。
【図１０】同実施形態に係る回り止めの斜視図、正面図、側面図、及び平面図。
【符号の説明】
【００４４】
Ａ…転写具
３…リフィル
４…転写ヘッド
５…ヘッドキャップ
５３…枢着軸部
６…第１のケース（ケース）
７…第２のケース（ケース）
Ｐ…閉止位置
Ｑ…開成位置
【図１】
0005211339.tif 000002
【図２】
0005211339.tif 000003
【図３】
0005211339.tif 000004
【図４】
0005211339.tif 000005
【図５】
0005211339.tif 000006
【図６】
0005211339.tif 000007
【図７】
0005211339.tif 000008
【図８】
0005211339.tif 000009
【図９】
0005211339.tif 000010
【図１０】
0005211339.tif 000011